【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
複数のコンポーネントキャリアで移動局装置と通信する基地局装置であって、
複数の物理上りリンク制御チャネルリソースを設定するための第１の情報を、上位層の信号を使用して前記移動局装置へ送信し、
前記複数の物理上りリンク制御チャネルリソースの中から１つの物理上りリンク制御チャネルリソースを指示する第２の情報を、物理下りリンク制御チャネルを使用して前記移動局装置へ送信し、
スケジューリングリクエストの送信に使用される物理上りリンク制御チャネルリソースを設定するための第３の情報を、前記上位層の信号を使用して前記移動局装置へ送信する送信部と、
あるサブフレームにおいて、前記第１の情報および前記第２の情報に基づく前記１つの物理上りリンク制御チャネルリソースを使用して、ＨＡＲＱにおける制御情報を前記移動局装置から受信し、
あるサブフレームにおいて、前記第３の情報に基づく前記物理上りリンク制御チャネルリソースを使用して、前記スケジューリングリクエストを前記移動局装置から受信する受信部と、を備え、
前記受信部は、
前記第１の情報および前記第２の情報に基づく前記１つの物理上りリンク制御チャネルリソースを使用した前記ＨＡＲＱにおける制御情報の受信が、前記スケジューリングリクエストの受信のためのサブフレームにおいて生じた場合には、前記スケジューリングリクエストの受信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記移動局装置から受信する
ことを特徴とする基地局装置。
【請求項２】
前記ＨＡＲＱにおける制御情報は、下りリンクトランスポートブロックに対するＡＣＫ／ＮＡＣＫを示す情報を含む
ことを特徴とする請求項１に記載の基地局装置。
【請求項３】
１つまたは複数の下りリンクトランスポートブロックに対するＨＡＲＱにおける制御情報を移動局装置から受信する基地局装置であって、
複数の物理上りリンク制御チャネルリソースを設定するための第１の情報を、上位層の信号を使用して前記移動局装置へ送信し、
前記複数の物理上りリンク制御チャネルリソースの中から１つの物理上りリンク制御チャネルリソースを指示する第２の情報を、物理下りリンク制御チャネルを使用して前記移動局装置へ送信し、
スケジューリングリクエストの送信に使用される物理上りリンク制御チャネルリソースを設定するための第３の情報を、前記上位層の信号を使用して前記移動局装置へ送信する送信部と、
あるサブフレームにおいて、前記第１の情報および前記第２の情報に基づく前記１つの物理上りリンク制御チャネルリソースを使用して、前記ＨＡＲＱにおける制御情報を前記移動局装置から受信し、
あるサブフレームにおいて、前記第３の情報に基づく前記物理上りリンク制御チャネルリソースを使用して、前記スケジューリングリクエストを前記移動局装置から受信する受信部と、を備え、
前記受信部は、
前記第１の情報および前記第２の情報に基づく前記１つの物理上りリンク制御チャネルリソースを使用した前記ＨＡＲＱにおける制御情報の受信が、前記スケジューリングリクエストの受信のためのサブフレームにおいて生じた場合には、前記スケジューリングリクエストの受信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記移動局装置から受信する
ことを特徴とする基地局装置。
【請求項４】
前記スケジューリングリクエストは、前記ＨＡＲＱにおける制御情報のビットの系列の最後に付け足される
ことを特徴とする請求項１乃至３のいずれかに記載の基地局装置。
【請求項５】
前記スケジューリングリクエストは、スケジューリングを要求する、または、スケジューリングを要求しないことを示す１ビットの情報である
ことを特徴とする請求項１乃至４のいずれかに記載の基地局装置。
【請求項６】
前記上位層の信号を使用して設定される前記複数の物理上りリンク制御チャネルリソースは、４つである
ことを特徴とする請求項１乃至５のいずれかに記載の基地局装置。
【請求項７】
複数のコンポーネントキャリアで基地局装置と通信する移動局装置であって、
複数の物理上りリンク制御チャネルリソースを設定するための第１の情報を、上位層の信号を使用して前記基地局装置から受信し、
前記複数の物理上りリンク制御チャネルリソースの中から１つの物理上りリンク制御チャネルリソースを指示する第２の情報を、物理下りリンク制御チャネルを使用して前記基地局装置から受信し、
スケジューリングリクエストの送信に使用される物理上りリンク制御チャネルリソースを設定するための第３の情報を、前記上位層の信号を使用して前記基地局装置から受信する受信部と、
あるサブフレームにおいて、前記第１の情報および前記第２の情報に基づく前記１つの物理上りリンク制御チャネルリソースを使用して、ＨＡＲＱにおける制御情報を前記基地局装置へ送信し、
あるサブフレームにおいて、前記第３の情報に基づく前記物理上りリンク制御チャネルリソースを使用して、前記スケジューリングリクエストを前記基地局装置へ送信する送信部と、を備え、
前記送信部は、
前記第１の情報および前記第２の情報に基づく前記１つの物理上りリンク制御チャネルリソースを使用した前記ＨＡＲＱにおける制御情報の送信が、前記スケジューリングリクエストの送信のためのサブフレームにおいて生じた場合には、前記スケジューリングリクエストの送信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記基地局装置へ送信する
ことを特徴とする移動局装置。
【請求項８】
前記ＨＡＲＱにおける制御情報は、下りリンクトランスポートブロックに対するＡＣＫ／ＮＡＣＫを示す情報を含む
ことを特徴とする請求項７に記載の移動局装置。
【請求項９】
１つまたは複数の下りリンクトランスポートブロックに対するＨＡＲＱにおける制御情報を基地局装置へ送信する移動局装置であって、
複数の物理上りリンク制御チャネルリソースを設定するための第１の情報を、上位層の信号を使用して前記基地局装置から受信し、
前記複数の物理上りリンク制御チャネルリソースの中から１つの物理上りリンク制御チャネルリソースを指示する第２の情報を、物理下りリンク制御チャネルを使用して前記基地局装置から受信し、
スケジューリングリクエストの送信に使用される物理上りリンク制御チャネルリソースを設定するための第３の情報を、前記上位層の信号を使用して前記基地局装置から受信する受信部と、
あるサブフレームにおいて、前記第１の情報および前記第２の情報に基づく前記１つの物理上りリンク制御チャネルリソースを使用して、前記ＨＡＲＱにおける制御情報を前記基地局装置へ送信し、
あるサブフレームにおいて、前記第３の情報に基づく前記物理上りリンク制御チャネルリソースを使用して、前記スケジューリングリクエストを前記基地局装置へ送信する送信部と、を備え、
前記送信部は、
前記第１の情報および前記第２の情報に基づく前記１つの物理上りリンク制御チャネルリソースを使用した前記ＨＡＲＱにおける制御情報の送信が、前記スケジューリングリクエストの送信のためのサブフレームにおいて生じた場合には、前記スケジューリングリクエストの送信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記基地局装置へ送信する
ことを特徴とする移動局装置。
【請求項１０】
前記スケジューリングリクエストは、前記ＨＡＲＱにおける制御情報のビットの系列の最後に付け足される
ことを特徴とする請求項７乃至９のいずれかに記載の移動局装置。
【請求項１１】
前記スケジューリングリクエストは、スケジューリングを要求する、または、スケジューリングを要求しないことを示す１ビットの情報である
ことを特徴とする請求項７乃至１０のいずれかに記載の移動局装置。
【請求項１２】
前記上位層の信号を使用して設定される前記複数の物理上りリンク制御チャネルリソースは、４つである
ことを特徴とする請求項７乃至１１のいずれかに記載の移動局装置。
【請求項１３】
複数のコンポーネントキャリアで移動局装置と通信する基地局装置の通信方法であって、
複数の物理上りリンク制御チャネルリソースを設定するための第１の情報を、上位層の信号を使用して前記移動局装置へ送信し、
前記複数の物理上りリンク制御チャネルリソースの中から１つの物理上りリンク制御チャネルリソースを指示する第２の情報を、物理下りリンク制御チャネルを使用して前記移動局装置へ送信し、
スケジューリングリクエストの送信に使用される物理上りリンク制御チャネルリソースを設定するための第３の情報を、前記上位層の信号を使用して前記移動局装置へ送信し、
あるサブフレームにおいて、前記第１の情報および前記第２の情報に基づく前記１つの物理上りリンク制御チャネルリソースを使用して、ＨＡＲＱにおける制御情報を前記移動局装置から受信し、
あるサブフレームにおいて、前記第３の情報に基づく前記物理上りリンク制御チャネルリソースを使用して、前記スケジューリングリクエストを前記移動局装置から受信し、
前記第１の情報および前記第２の情報に基づく前記１つの物理上りリンク制御チャネルリソースを使用した前記ＨＡＲＱにおける制御情報の受信が、前記スケジューリングリクエストの受信のためのサブフレームにおいて生じた場合には、前記スケジューリングリクエストの受信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記移動局装置から受信する
ことを特徴とする通信方法。
【請求項１４】
１つまたは複数の下りリンクトランスポートブロックに対するＨＡＲＱにおける制御情報を移動局装置から受信する基地局装置の通信方法であって、
複数の物理上りリンク制御チャネルリソースを設定するための第１の情報を、上位層の信号を使用して前記移動局装置へ送信し、
前記複数の物理上りリンク制御チャネルリソースの中から１つの物理上りリンク制御チャネルリソースを指示する第２の情報を、物理下りリンク制御チャネルを使用して前記移動局装置へ送信し、
スケジューリングリクエストの送信に使用される物理上りリンク制御チャネルリソースを設定するための第３の情報を、前記上位層の信号を使用して前記移動局装置へ送信し、
あるサブフレームにおいて、前記第１の情報および前記第２の情報に基づく前記１つの物理上りリンク制御チャネルリソースを使用して、前記ＨＡＲＱにおける制御情報を前記移動局装置から受信し、
あるサブフレームにおいて、前記第３の情報に基づく前記物理上りリンク制御チャネルリソースを使用して、前記スケジューリングリクエストを前記移動局装置から受信し、
前記第１の情報および前記第２の情報に基づく前記１つの物理上りリンク制御チャネルリソースを使用した前記ＨＡＲＱにおける制御情報の受信が、前記スケジューリングリクエストの受信のためのサブフレームにおいて生じた場合には、前記スケジューリングリクエストの受信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記移動局装置から受信する
ことを特徴とする通信方法。
【請求項１５】
複数のコンポーネントキャリアで基地局装置と通信する移動局装置の通信方法であって、
複数の物理上りリンク制御チャネルリソースを設定するための第１の情報を、上位層の信号を使用して前記基地局装置から受信し、
前記複数の物理上りリンク制御チャネルリソースの中から１つの物理上りリンク制御チャネルリソースを指示する第２の情報を、物理下りリンク制御チャネルを使用して前記基地局装置から受信し、
スケジューリングリクエストの送信に使用される物理上りリンク制御チャネルリソースを設定するための第３の情報を、前記上位層の信号を使用して前記基地局装置から受信し、
あるサブフレームにおいて、前記第１の情報および前記第２の情報に基づく前記１つの物理上りリンク制御チャネルリソースを使用して、ＨＡＲＱにおける制御情報を前記基地局装置へ送信し、
あるサブフレームにおいて、前記第３の情報に基づく前記物理上りリンク制御チャネルリソースを使用して、前記スケジューリングリクエストを前記基地局装置へ送信し、
前記第１の情報および前記第２の情報に基づく前記１つの物理上りリンク制御チャネルリソースを使用した前記ＨＡＲＱにおける制御情報の送信が、前記スケジューリングリクエストの送信のためのサブフレームにおいて生じた場合には、前記スケジューリングリクエストの送信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記基地局装置へ送信する
ことを特徴とする通信方法。
【請求項１６】
１つまたは複数の下りリンクトランスポートブロックに対するＨＡＲＱにおける制御情報を基地局装置へ送信する移動局装置の通信方法であって、
複数の物理上りリンク制御チャネルリソースを設定するための第１の情報を、上位層の信号を使用して前記基地局装置から受信し、
前記複数の物理上りリンク制御チャネルリソースの中から１つの物理上りリンク制御チャネルリソースを指示する第２の情報を、物理下りリンク制御チャネルを使用して前記基地局装置から受信し、
スケジューリングリクエストの送信に使用される物理上りリンク制御チャネルリソースを設定するための第３の情報を、前記上位層の信号を使用して前記基地局装置から受信し、
あるサブフレームにおいて、前記第１の情報および前記第２の情報に基づく前記１つの物理上りリンク制御チャネルリソースを使用して、前記ＨＡＲＱにおける制御情報を前記基地局装置へ送信し、
あるサブフレームにおいて、前記第３の情報に基づく前記物理上りリンク制御チャネルリソースを使用して、前記スケジューリングリクエストを前記基地局装置へ送信し、
前記第１の情報および前記第２の情報に基づく前記１つの物理上りリンク制御チャネルリソースを使用した前記ＨＡＲＱにおける制御情報の送信が、前記スケジューリングリクエストの送信のためのサブフレームにおいて生じた場合には、前記スケジューリングリクエストの送信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記基地局装置へ送信する
ことを特徴とする通信方法。
【請求項１７】
複数のコンポーネントキャリアで移動局装置と通信する基地局装置に搭載される集積回路であって、
複数の物理上りリンク制御チャネルリソースを設定するための第１の情報を、上位層の信号を使用して前記移動局装置へ送信し、
前記複数の物理上りリンク制御チャネルリソースの中から１つの物理上りリンク制御チャネルリソースを指示する第２の情報を、物理下りリンク制御チャネルを使用して前記移動局装置へ送信し、
スケジューリングリクエストの送信に使用される物理上りリンク制御チャネルリソースを設定するための第３の情報を、前記上位層の信号を使用して前記移動局装置へ送信する送信処理と、
あるサブフレームにおいて、前記第１の情報および前記第２の情報に基づく前記１つの物理上りリンク制御チャネルリソースを使用して、ＨＡＲＱにおける制御情報を前記移動局装置から受信し、
あるサブフレームにおいて、前記第３の情報に基づく前記物理上りリンク制御チャネルリソースを使用して、前記スケジューリングリクエストを前記移動局装置から受信する受信処理と、を前記基地局装置に実行させ、
前記受信処理は、
前記第１の情報および前記第２の情報に基づく前記１つの物理上りリンク制御チャネルリソースを使用した前記ＨＡＲＱにおける制御情報の受信が、前記スケジューリングリクエストの受信のためのサブフレームにおいて生じた場合には、前記スケジューリングリクエストの受信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記移動局装置から受信する
ことを特徴とする集積回路。
【請求項１８】
１つまたは複数の下りリンクトランスポートブロックに対するＨＡＲＱにおける制御情報を移動局装置から受信する基地局装置に搭載される集積回路であって、
複数の物理上りリンク制御チャネルリソースを設定するための第１の情報を、上位層の信号を使用して前記移動局装置へ送信し、
前記複数の物理上りリンク制御チャネルリソースの中から１つの物理上りリンク制御チャネルリソースを指示する第２の情報を、物理下りリンク制御チャネルを使用して前記移動局装置へ送信し、
スケジューリングリクエストの送信に使用される物理上りリンク制御チャネルリソースを設定するための第３の情報を、前記上位層の信号を使用して前記移動局装置へ送信する送信処理と、
あるサブフレームにおいて、前記第１の情報および前記第２の情報に基づく前記１つの物理上りリンク制御チャネルリソースを使用して、前記ＨＡＲＱにおける制御情報を前記移動局装置から受信し、
あるサブフレームにおいて、前記第３の情報に基づく前記物理上りリンク制御チャネルリソースを使用して、前記スケジューリングリクエストを前記移動局装置から受信する受信処理と、を前記基地局装置に実行させ、
前記受信処理は、
前記第１の情報および前記第２の情報に基づく前記１つの物理上りリンク制御チャネルリソースを使用した前記ＨＡＲＱにおける制御情報の受信が、前記スケジューリングリクエストの受信のためのサブフレームにおいて生じた場合には、前記スケジューリングリクエストの受信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記移動局装置から受信する
ことを特徴とする集積回路。
【請求項１９】
複数のコンポーネントキャリアで基地局装置と通信する移動局装置に搭載される集積回路であって、
複数の物理上りリンク制御チャネルリソースを設定するための第１の情報を、上位層の信号を使用して前記基地局装置から受信し、
前記複数の物理上りリンク制御チャネルリソースの中から１つの物理上りリンク制御チャネルリソースを指示する第２の情報を、物理下りリンク制御チャネルを使用して前記基地局装置から受信し、
スケジューリングリクエストの送信に使用される物理上りリンク制御チャネルリソースを設定するための第３の情報を、前記上位層の信号を使用して前記基地局装置から受信する受信処理と、
あるサブフレームにおいて、前記第１の情報および前記第２の情報に基づく前記１つの物理上りリンク制御チャネルリソースを使用して、ＨＡＲＱにおける制御情報を前記基地局装置へ送信し、
あるサブフレームにおいて、前記第３の情報に基づく前記物理上りリンク制御チャネルリソースを使用して、前記スケジューリングリクエストを前記基地局装置へ送信する送信処理と、を前記移動局装置に実行させ、
前記送信処理は、
前記第１の情報および前記第２の情報に基づく前記１つの物理上りリンク制御チャネルリソースを使用した前記ＨＡＲＱにおける制御情報の送信が、前記スケジューリングリクエストの送信のためのサブフレームにおいて生じた場合には、前記スケジューリングリクエストの受信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記基地局装置へ送信する
ことを特徴とする集積回路。
【請求項２０】
１つまたは複数の下りリンクトランスポートブロックに対するＨＡＲＱにおける制御情報を基地局装置へ送信する移動局装置に搭載される集積回路であって、
複数の物理上りリンク制御チャネルリソースを設定するための第１の情報を、上位層の信号を使用して前記基地局装置から受信し、
前記複数の物理上りリンク制御チャネルリソースの中から１つの物理上りリンク制御チャネルリソースを指示する第２の情報を、物理下りリンク制御チャネルを使用して前記基地局装置から受信し、
スケジューリングリクエストの送信に使用される物理上りリンク制御チャネルリソースを設定するための第３の情報を、前記上位層の信号を使用して前記基地局装置から受信する受信処理と、
あるサブフレームにおいて、前記第１の情報および前記第２の情報に基づく前記１つの物理上りリンク制御チャネルリソースを使用して、前記ＨＡＲＱにおける制御情報を前記基地局装置へ送信し、
あるサブフレームにおいて、前記第３の情報に基づく前記物理上りリンク制御チャネルリソースを使用して、前記スケジューリングリクエストを前記基地局装置へ送信する送信処理と、を前記移動局装置に実行させ、
前記送信処理は、
前記第１の情報および前記第２の情報に基づく前記１つの物理上りリンク制御チャネルリソースを使用した前記ＨＡＲＱにおける制御情報の送信が、前記スケジューリングリクエストの送信のためのサブフレームにおいて生じた場合には、前記スケジューリングリクエストの受信のためのサブフレームにおいて、前記第１の情報および前記第２の情報に基づく前記１つの物理上りリンク制御チャネルリソースを使用して、前記ＨＡＲＱにおける制御情報と前記スケジューリングリクエストを前記基地局装置へ送信する
ことを特徴とする集積回路。